(57)【特許請求の範囲】
【請求項１】
炉前ホールと燃焼室との間に前室を設けた火葬炉において、前記前室が防音壁を備え、
前記防音壁に給気口を設け、
前記前室の天井壁に排気口を設け、
前記給気口の下縁外側に石膏ボードからなる断面Ｌ字の上向き取付部を設け、
前記取付部の外面に吸音部材を設け、
前記取付部の内面に遮音シートを設け、
前記給気口内にガラリを設け、
前記取付部と前記給気口の隙間を覆う下向きフードを前記給気口の上縁外側に設け、
前記フードは石膏ボード、防音シート、外板材を積層してなることを特徴とする火葬炉。
【請求項２】
前記前室の前記燃焼室側にシャッタを設けたことを特徴とする請求項１記載の火葬炉。
【発明の詳細な説明】
【技術分野】
【０００１】
本発明は、前室を備えた火葬炉に関する。
【背景技術】
【０００２】
従来、この種の火葬炉として、火葬炉の前方の経路の途中に前室として予備室を設けたもの（例えば特許文献１），火葬炉の側方の経路の途中に前室として予備室を設けたもの（例えば特許文献２），火葬炉と葬祭場の前ホールとの間に前室を設けたもの（例えば特許文献３），火葬炉の前方に前室を設けたもの（例えば特許文献４）などがあり、前室を設けることにより炉内が見えなくなり、遺族に不快感を与えることがなく、また、前室において耐火台車を速やかに冷却することができる。
【０００３】
ところで、火葬炉は、燃焼や排気などのために各種の機械設備を備えた機械室が併設されている（例えば特許文献５）ため、それら機械設備により前室に騒音が発生し、遺族に不快感を与える虞がある。そして、前室では火葬の前に最後のお別れが行われるが、その前室には火葬後の台車などを冷却するために給気口が設けられているため、その給気口から外部の音が侵入するという問題があった。
【先行技術文献】
【特許文献】
【０００４】
【特許文献１】実公昭５３−３５９８４号公報
【特許文献２】実公昭５３−３５９８５号公報
【特許文献３】特開平９−２９６９１６号公報
【特許文献４】特開１０−９５２６号公報
【特許文献５】特開２００４−３６１０１６号公報
【発明の概要】
【発明が解決しようとする課題】
【０００５】
そこで、本発明は、前室内における騒音を抑えることができる火葬炉を提供することを目的とする。
【課題を解決するための手段】
【０００６】
本発明は、炉前ホールと燃焼室との間に前室を設けた火葬炉において、前記前室が防音壁を備え、前記防音壁に給気口を設け、前記前室の天井壁に排気口を設け、前記給気口の下縁外側に石膏ボードからなる断面Ｌ字の上向き取付部を設け、前記取付部の外面に吸音部材を設け、前記取付部の内面に遮音シートを設け、前記給気口内にガラリを設け、前記取付部と前記給気口の隙間を覆う下向きフードを前記給気口の上縁外側に設け、前記フードは石膏ボード、防音シート、外板材を積層してなるものである。
【０００７】
さらに、本発明は、前記前室の前記燃焼室側にシャッタを設けたものである。
【発明の効果】
【０００８】
上記構成によれば、防音壁により前室内の防音効果を高めることができる。また、防音壁に給気口を設け、前室の天井壁に排気口を設けることにより、前室の冷却及び換気を行うことができる。また、取付部の外面に設けた吸音部材、取付部の内面に設けた遮音シート、及び吸気口内に設けたガラリにより外部からの騒音の侵入を低減できる。さらに、給気口がフードにより吸気口が隠れるため、前室内から給気口を通して外部が視認されることがなく、前室内への騒音の侵入を低減できる。
【０００９】
さらに、シャッタを閉めることにより火葬炉で発生した音の侵入を防止できる。
【図面の簡単な説明】
【００１０】
【図１】本発明の実施例１を示す一部を断面にした側面図である。
【図２】同上、前室の正面図である。
【図３】同上、前室の背面図である。
【図４】同上、前室の平面図である。
【図５】同上、防音パネルの断面図である。
【図６】同上、防音パネルの接続縁の断面図である。
【図７】同上、防音パネルの接続箇所の断面図である。
【図８】同上、給気口回りの断面図である。
【発明を実施するための形態】
【００１１】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規な火葬炉を採用することにより、従来にない火葬炉が得られ、その火葬炉について記述する。
【実施例１】
【００１２】
以下、本発明の実施例１について、図１〜図７を参照して説明する。図１に示すように、火葬炉１は燃焼室２を備え、この燃焼室２の前側には耐荷扉３が設けられ、前記燃焼室２と炉前ホール４との間に前室５が設けられ、前記炉前ホール４と前室５との間には化粧扉６が設けられている。
【００１３】
前記前室５は、防音壁である側壁１１，１１と、天井壁１２とを備え、長手方向両側である前後に開口部１３，１３Ａが設けられている。前記側壁１１及び天井壁１２は、複数の防音パネル１４からなる。図５〜図７に示すように、その防音パネル１４は、吸音部材であるグラスウール１５の内外面を、遮音部材である石膏ボード１６，１６で挟み、グラスウール１５を挟んだ石膏ボード１６，１６の外面を遮音シート１７で覆い、その遮音シート１７の上にステンレス板からなる化粧板１８を設けてなる。尚、グラスウール１５は、石膏ボード１６より厚く、例えば石膏ボード１６の４倍以上の厚さを有する。
【００１４】
また、防音パネル１４の接続縁１４Ｆには、略コ字型の金属製骨材１９を配置し、この骨材１９は、グラスウール１５の縁を囲むように設けられ、両側の端部１９Ａ，１９Ａがグラスウール１５と石膏ボード１６に挟まれ、その中央部１９Ｂがグラスウール１５の縁と前記遮音シート１７とに挟まれており、前記接続縁１４Ｆにおいて、前記中央部１９Ｂ，遮音シート１７及び化粧板１８に透孔２１を穿設し、一方の骨材１９等の透孔２１と他方の骨材１９等の透孔２１とワッシャ２３とにボルト２２を挿通し、このボルト２２にナット２４を螺合することにより、隣合う防音パネル１４，１４同士を接合する。そして、図１などに示したように、前記側壁１１及び天井壁１２は複数（４枚）の防音パネル１４を並べると共に接合して形成されている。
【００１５】
前記前室５には、給気口３１と排気口３２が設けられ、この排気口３２は、天井壁１２に一箇所設けられ、その排気口３２に排気管３３を設け、この排気管３３に吸気装置３４を接続している。
【００１６】
前記給気口３１は側壁１１の下部側に複数設けられ、この例では、側壁１１を構成する複数の防音パネル１４にそれぞれ開設され、横長な長方形形状をなす。図８に示すように、前記給気口３１は防音パネル１４の内外を貫通し、その給気口３１の下縁に断面Ｌ字の取付部３５を設け、この取付部３５は石膏ボードからなり、断面Ｌ型を形成する横部３５Ａと縦部３５Ｂとを備え、この縦部３５Ｂの外面に吸音部材たるグラスウール３６を設け、このグラスウール３６は、４０ｍｍ以上の厚さで略一定厚さをなし、前記給気口３１の外側の一側である下側を覆うように配置されている。また、横部３５Ａの上面と縦部３５Ｂの内面とを連続するように遮音シート３７が設けられ、前記グラスウール３６の下面と横部３５Ａの下面と横部３５Ａの取付位置下方の防音パネル１４の外面とに連続して遮音シート３７Ａが設けられている。尚、グラスウール３６の面積は給気口３１の２分の１以上、４分の３以下とすることが好ましく、２分の１未満であると隙間４６が大きくなり、防音効果が低下し、４分の３を超えると、隙間４６が小さくなり、給気効率が低下するからである。
【００１７】
さらに、防音パネル１４の外面には、前記グラスウール３６の外側から前記給気口３１を覆うように、フード３８が設けられ、このフード３８は給気口３１の上縁と左右両側の縁とに取り付けられ、内側から石膏ボード３９，防音シート４０，ステンレスなどからなる外板材４１を積層してなり、前記フード３８は上面部３８Ａと斜面部３８Ｂと前面部３８Ｃとを有する。尚、前記外板部４１は、その上縁４１Ａが前記防音パネル１４の外面に添い、その下縁４１Ｂが石膏ボード３９の下縁を覆うように内側に折曲げ形成されている。
【００１８】
このように防音壁に排気口３２を開設し、この給気口３２の外側に設けられ外気を導入するフード３８と、このフード３８内に設けられた吸音部材たるグラスウール３６とを備え、また、給気口３１の外側の一側をグラスウール３６により覆い、このグラスウール３６の外側の他側をフード３８により覆い、このフード３８は少なくとも給気口３１とグラスウール３６の隙間４６を覆い、グラスウール３６とフード３８との間に外部に連通する連通路４２を設けており、防音効果に優れたものとなる。この連通路４２は前記給気口３１に連通し、この給気口３１内には、アルミニューム製のガラリ４３が設けられ、このガラリ４３は、複数の斜め板４４，４４・・・を上下に間隔を置いて配置し、それら複数の斜め板４４，４４・・・間に通気路４５を設けたものである。
【００１９】
また、前記前室５の炉側には、防音パネル１４と同一部材により門型部５１を設け、この門型部５１内に前記開口部１３Ａが設けられており、この開口部１３Ａを開閉するシャッタ５２を設けている。
【００２０】
次に前記構成につきその作用を説明する。図示しない台車とお棺を前室５に収納し、シャッタ５２により炉側の開口部１３Ａを閉めた状態とする。この状態で化粧扉６を開いても、前室５は防音壁からなる側壁１１と天井壁１２に覆われているため、外部の機械設備の駆動音などが遮音される。また、給気口３１の外側を覆うように、吸音材料たるグラスウール３６が設けられているため、給気口３１を通して外部の音が侵入することを防止でき、前室５内における騒音を抑えることができ、火葬前の最後のお別れを、従来より静かな雰囲気で行うことができる。
【００２１】
そして、台車とお棺を燃焼室２に移動し、火葬を開始し、火葬が終了した後、台車を前室５に移動し、燃焼室２の耐荷扉３を閉じ、シャッタ５２を閉じ、化粧扉６は閉じた状態で、吸気装置３４を駆動する。吸気装置３４の駆動により、給気口３１から空気が取り込まれ、排気口３２から排気されることにより、前室５内が換気冷却される。その際、給気口３１から導入された外気の流れる音が、吸音部材であるグラスウール３６により吸音され、換気冷却に伴う騒音が前室５から炉前ホール４に漏れることもない。
【００２２】
このように本実施例では、炉前ホール４と燃焼室２との間に前室５を設けた火葬炉１において、前室５が防音壁たる側壁１１及び天井壁１２を備えるから、前室５内の防音効果を高めることができる。また、防音壁たる側壁１１に給気口３１、天井壁１２に排気口３２を設けたから、給気口３１と排気口３２により、前室５の冷却及び換気を行うことができる。また、給気口３１の外側に吸音部材たるグラスウール３６を設けたから、外部の音をグラスウール３６が吸音し、給気口内にガラリ４４を設けたことにより外部からの騒音の侵入を低減できる。さらに、吸音部材たるグラスウール３６と給気口３１の隙間４６をフード３８により覆ったから、外部の音をグラスウール１５が吸音し、石膏ボード３９、防音シート４０及び外板材４１を積層してなるフード３８が外部からの騒音の侵入を低減し、また、給気口３１がフード３８により隠れるため、前室５内から給気口３１を通して外部が視認されることがない。
【００２３】
さらに、このように本実施例では、前室５の燃焼室２側にシャッタ５２を設けたから、シャッタを閉めることにより火葬炉で発生した音の侵入を防止できる。
【００２４】
なお、本発明は、前記実施例に限定されるものではなく、種々の変形実施が可能である。例えば、実施例では、前後方向に長い前室と燃焼室を並べて配置し、前室の後側から燃焼室に台車を移動するように構成したが、前室と燃焼室とを幅方向に並べて配置し、前室の側部を開口し、この開口から燃焼室に台車を横移動するようにしてもよい。
【符号の説明】
【００２５】
１  火葬炉
２  燃焼室
４  炉前ホール
５  前室
１１  側壁（防音壁）
１２  天井壁
１３，１３Ａ  開口部
１４  防音パネル
１５  グラスウール（吸音部材）
１６  石膏ボード（遮音部材）
３１  給気口
３２  排気口
３５  取付部
３６  グラスウール（吸音部材）
３７  遮音シート
３８  フード
３９  石膏ボード
４０  防音シート
４１  外板材
４４  ガラリ
５２  シャッタ
【図１】
0005545591.tif 000002
【図２】
0005545591.tif 000003
【図３】
0005545591.tif 000004
【図４】
0005545591.tif 000005
【図５】
0005545591.tif 000006
【図６】
0005545591.tif 000007
【図７】
0005545591.tif 000008
【図８】
0005545591.tif 000009